(57)【要約】【課題】遊技場内に設置される計数機や遊技機の監視を行うための遊技場監視システムを提供する。【解決手段】計数機２２内に、制御装置２０と接続された計数機アンテナ２３を内蔵する。そして、制御装置２０の制御のもと、計数機アンテナ２３と店員カードとの間で無線通信が成立して初めて、計数機２２は景品交換媒体を出力する。また、制御装置２０は、無線通信の成立日時等を監視情報として記憶する。一方、各パチンコ機１の本体枠や前面枠等には、その開閉状況を監視するために監視アンテナ及び監視タグが固着されている。監視アンテナは制御装置２０にされており、監視アンテナと監視タグとの間の無線通信も制御装置２０により制御される。そして、監視アンテナと監視タグとの間での無線通信が不成立となると、制御装置２０は不成立となった日時等を監視情報として記憶する。【選択図】図１
2006149823.tif 000002
【特許請求の範囲】
【請求項１】
認証部材であるＩＣタグと、アンテナを介して前記ＩＣタグと無線通信可能であるとともに、遊技媒体の数を計数するための計数手段及び計数された遊技媒体数に関連付けられた景品交換媒体を遊技者に提供する媒体提供手段を有する計数装置に接続された制御装置とを備えた遊技場監視システムであって、
前記制御装置は、前記無線通信による前記ＩＣタグの認証をもって、前記計数装置に認証信号を送信し、前記計数装置に所定制御を行わせることを特徴とする遊技場監視システム。
【請求項２】
計数装置は、認証信号を受信すると計数手段を動作可能とすることを特徴とする請求項１に記載の遊技場監視システム。
【請求項３】
計数装置は、認証信号を受信すると媒体提供手段を動作可能とすることを特徴とする請求項１又は２に記載の遊技場監視システム。
【請求項４】
制御装置は、無線通信が成立した場合、少なくともＩＣタグに予め記憶されているタグＩＤと無線通信の成立日時とを監視情報として記憶することを特徴とする請求項１〜３のいずれかに記載の遊技場監視システム。
【請求項５】
制御装置は、計数装置と同じく遊技場内に設置される遊技機の相対可動部に取り付けられたＩＣタグとアンテナとの間で断続的に行われる無線通信をも制御可能であって、
前記相対可動部における無線通信の不成立を検知すると、前記相対可動部の開閉状態に係る情報である監視情報を作成及び記憶することを特徴とする請求項１〜４のいずれかに記載の遊技場監視システム。
【発明の詳細な説明】
【技術分野】
【０００１】
本発明は、たとえばパチンコホールといった遊技場内に設置される計数機や遊技機を監視するための遊技場監視システムに関するものである。
【背景技術】
【０００２】
従来より、パチンコホール（遊技場）に設置されているパチンコ機に対し、特定の遊技者が不正に利益を得ようとして、遊技中に前面枠を開放したり、本体枠を開放して遊技内容を制御するＬＳＩやＲＯＭ等を交換するといった不正行為が後を絶たない。そこで、そのような不正行為を防止するために、たとえば特許文献１に開示されているような遊技機監視システムが考案されている。
【０００３】
【特許文献１】特開２００４−１７４１１５号公報
【０００４】
特許文献１に開示されている遊技機監視システムは、たとえば前面枠及び本体枠といった相対可動部に、固有の識別情報を記憶するＩＣタグと、該ＩＣタグとの間で非接触のＲＦＩＤ（Radio Frequency identification）通信（無線通信）可能なアンテナとを夫々固着し、該アンテナが接続されている制御装置にて、ＩＣタグとアンテナとの間で行われるＲＦＩＤ通信の可否を判断することによって、本体枠に対する前面枠の開閉状況を監視しようとするものである。そして、監視箇所においてＲＦＩＤ通信状態の変化（たとえば、前面枠が開放される）を検知すると、制御装置は検知した日時等からなる監視情報を作成・記憶する。
【発明の開示】
【発明が解決しようとする課題】
【０００５】
パチンコホール内にはパチンコ機とともに、たとえばパチンコ球をカウントするための計数機が設置されており、該計数機を用いて各遊技者が獲得した賞品球数等を計数している。このように従来より用いられている計数機は、利用履歴等を管理されることもなく、誰もが自由に使用することが可能であった。したがって、たとえば遊技者等が外部から不正なパチンコ球を持ち込んで計数機に投入し、賞品球としてカウントさせるといった不正行為が行われることもある。
しかしながら、上述の如く遊技機を監視するための遊技機監視システムは存在するものの、計数機に対する不正行為の監視や防止といったことは全く行われていなかった。
【０００６】
そこで、本発明は、上記課題に鑑みなされたものであって、遊技場内に設置される計数機を監視するための遊技場監視システムを提供しようとするものである。
【課題を解決するための手段】
【０００７】
上記目的を達成するために、請求項１に記載の発明は、認証部材であるＩＣタグと、アンテナを介して前記ＩＣタグと無線通信可能であるとともに、遊技媒体の数を計数するための計数手段及び計数された遊技媒体数に関連付けられた景品交換媒体を遊技者に提供する媒体提供手段を有する計数装置に接続された制御装置とを備えた遊技場監視システムであって、前記制御装置は、前記無線通信による前記ＩＣタグの認証をもって、前記計数装置に認証信号を送信し、前記計数装置に所定制御を行わせることを特徴とする。
請求項２に記載の発明は、請求項１の発明において、計数装置は、認証信号を受信すると計数手段を動作可能とすることを特徴とする。
請求項３に記載の発明は、請求項１または２の発明において、計数装置は、認証信号を受信すると媒体提供手段を動作可能とすることを特徴とする。
請求項４に記載の発明は、請求項１〜３のいずれかの発明において、制御装置は、無線通信が成立した場合、少なくともＩＣタグに予め記憶されているタグＩＤと無線通信の成立日時とを監視情報として記憶することを特徴とする。
請求項５に記載の発明は、請求項１〜４のいずれかの発明において、制御装置は、計数装置と同じく遊技場内に設置される遊技機の相対可動部に取り付けられたＩＣタグとアンテナとの間で断続的に行われる無線通信をも制御可能であって、前記相対可動部における無線通信の不成立を検知すると、前記相対可動部の開閉状態に係る情報である監視情報を作成及び記憶することを特徴とする。
【発明の効果】
【０００８】
本発明によれば、計数機に所定の制御を行わせるためには認証部材であるＩＣタグとアンテナとの間で無線通信を成立させなければならない。したがって、ＩＣタグを有さない不正遊技者等が外部より遊技媒体等を持ち込んで不正に利益を得ようとする行為等を防止することができる。
また、請求項２及び３の発明によれば、ＩＣタグとアンテナとの間で無線通信を成立させなければ、遊技球数を計数しなかったり、景品等と交換するために必要な景品交換媒体を提供しなかったりするため、不正遊技者が外部より遊技媒体等を持ち込んで不正に利益を得ようとする行為等を確実に防止することができる。
さらに、請求項４の発明によれば、少なくとも利用されたＩＣタグのタグＩＤや無線通信の成立日時が監視情報として制御装置に記憶されるため、計数機の動作履歴等を把握することができ、より効果的な計数機の監視を行うことができる。
加えて、請求項５の発明によれば、各遊技機の相対可動部における無線通信と、計数機に係る無線通信とを同一の制御装置にて制御可能としているため、非常に使い勝手が良く、汎用性に富む。
【発明を実施するための最良の形態】
【０００９】
以下、本発明に係る遊技場監視システム（遊技機監視システム及び計数機監視システムを内包したもの）の一実施形態について、図面に基づき、次の目次の順序にしたがって詳細に説明する。
（１）実施例の遊技場監視システムの概要
（２）実施例の遊技場監視システムの構造
（３）実施例の遊技場監視システムの動作内容
（４）実施例の遊技場監視システムの効果
（５）本発明の変更例の説明
【００１０】
（１）実施例の遊技場監視システムの概要
本実施例に係る遊技場監視システムの内、遊技機監視システムは、ＲＦＩＤ技術を利用して主に各ホールに設置される計数機（計数装置）、及び島設備に設置されるパチンコ機を監視しようとするものであって、各アンテナや監視情報を作成・記憶する制御装置等により構成されるリーダライタユニット、固有の識別情報を記憶しておりアンテナとの間でＲＦＩＤ通信（無線通信）可能なＩＣタグである監視タグや店員カード（認証部材）、及び異常の報知等を行うスポット（報知手段）等を備えている。
また、計数機監視システムは、上記遊技機監視システムの一部を兼用したものであって、計数機の監視に係る構成からなる監視システムである。尚、監視情報とは制御装置が作成する情報の総称（異常情報や作業情報等を含む）である。
【００１１】
本実施例では、各島設備の一側端に計数機及びスポットが取り付けられているとともに、スポット内に制御装置が一台設置されている。そして、一台の制御装置により、一つの島設備に設置されている全てのパチンコ機の相対可動部における監視動作やパチンコ機に係る認証動作、及び計数機に係る認証動作を制御する。
尚、本発明において、相対可動部とは、少なくとも一方の移動によって相対距離が変化する第一の部材と第二の部材とからなる一組の部材である。また、認証動作とは、監視動作の一部であって、店員カードを利用した無線通信に係る動作を表す。
【００１２】
制御装置は、ＲＡＭやＲＯＭ等の記憶手段を内蔵するとともにアンテナとＩＣタグとの間のＲＦＩＤ通信を制御するＭＰＵ（Micro Processing Unit）（制御手段）、監視情報等を記憶するＥＥＰＲＯＭ（記憶手段）、各アンテナと接続されるＲＦ回路、日時を計時するＲＴＣ、充電可能なバッテリ、及び入出力部となるＩ／Ｏインタフェイス等を有している。
また、スポットには、ホールコンピュータ（外部のコンピュータ）との間で無線通信を行うための無線モジュールが備えられている。該無線モジュールは、Ｉ／Ｏインタフェイスを介して制御装置のＭＰＵと接続されているため、制御装置において記憶されている監視情報等の各種情報を、スポットを介してホールコンピュータとの間で送受信することができる。
【００１３】
計数機は、主に賞品球等の遊技球（遊技媒体）をカウント（計数）し、景品等と交換するために必要な景品交換媒体を出力するためのものであって、遊技球を検出するための遊技球検出器（計数手段）、景品交換媒体を出力するための景品交換媒体出力装置（媒体提供手段）、それらを制御するＭＰＵ（計数手段）等を備えている。また、計数機には、制御装置に接続された計数機アンテナ（アンテナ）が内蔵されている。
一方、各パチンコ機の前面側上方には、認証アンテナ（アンテナ）を内蔵した通信ユニットが取り付けられている。
【００１４】
上述したような構成を有する遊技機監視システムでは、開閉状況を監視したい相対可動部において、一方の部材に監視タグを、他方の部材に監視アンテナ（アンテナ）を夫々固着して、相対可動部が閉じた状態においてのみ両者間でＲＦＩＤ通信が可能となるようにするとともに、正常状態でなくなった（たとえばＲＦＩＤ通信が不成立となった等）場合には、その日時に関連付けた異常情報（監視情報）を記憶することにより、相対可動部の開閉状況を監視している。
尚、相対可動部が閉じた状態において、監視タグと監視アンテナとの間でＲＦＩＤ通信は常時繰り返し行われており、該状態を正常状態とする。
【００１５】
一方、店員カードを通信ユニットに内蔵されている認証アンテナに近接させて、両者間でＲＦＩＤ通信を行うことによりパチンコ機を取り扱う（たとえば、前面枠を開放する等）権限の認証（認証動作）を行う。制御装置は、該ＲＦＩＤ通信により店員カードを認証すると、認証状態へと移行して所定の制御を行うとともに、店員カードを認証した日時に関連付けた作業情報（監視情報）をＥＥＰＲＯＭに記憶する。
【００１６】
また、店員カードを計数機に内蔵されている計数機アンテナに近接させて、両者間でＲＦＩＤ通信を行うことにより計数機に所定の制御を行わせるための権限の認証（認証動作）を行う。そして、制御装置は、該ＲＦＩＤ通信により店員カードを認証すると、計数機へと認証信号を出力してカウントフラグをＯＮとする。また、計数機から遊技球数（景品交換媒体数）を含む作業信号を受信すると、該景品交換媒体数や店員カードを認証した日時等に関連付けた作業情報（監視情報）をＥＥＰＲＯＭに記憶する。一方、計数機は、遊技球が投入されると、自動的に投入された遊技球数を計数する。そして、カウントフラグがＯＮであると、景品交換媒体を出力する一方、カウントフラグがＯＦＦであると、景品交換媒体を出力しない。
【００１７】
（２）実施例の遊技場監視システムの構造
図１は、パチンコ機１、１・・を設置した島設備７１、７１の説明図である。
図１に示されているように、各島設備７１には、複数のパチンコ機１、１・・が隣接して設置されている。各パチンコ機１の上方には、後述するような認証アンテナ４７（図２に示す）を内蔵した通信ユニット４１が設置されている。また、各島設備７１の側端部上方には、主にホール店員への報知を行う報知ランプ７２を備えたスポット７３が取り付けられている。該スポット７３には、後述するような制御装置２０（図４に示す）が内蔵されており、各パチンコ機１に係る監視動作や認証動作、及び後述する計数機２２に係る認証動作等を制御している。
【００１８】
ここで、通信ユニット４１及び店員カード４２について図２を基に説明する。図２は、通信ユニット４１及び店員カード４２の外観を示した説明図である。
通信ユニット４１は、認証アンテナ４７を内蔵したものであって、前面上部には確認ランプ４３が設けられている。一方、店員カード４２は認証用のＩＣタグとして機能するものである。そして、該店員カード４２を認証アンテナ４７の前方へと近接させて両者を所定の通信距離内とすることで、両者間でＲＦＩＤ通信が可能となり、制御装置２０にて後述するような認証動作が制御される。尚、確認ランプ４３は、認証状態を点灯表示するものである。
【００１９】
店員カード４２は、送受信回路やＥＥＰＲＯＭを内蔵したＩＣチップ等が設けられたフィルムプリントを合成樹脂で薄くコーティングしたものである。当該ＩＣチップには固有の識別情報が予め記憶されており、該識別情報を店員ＩＤとしている。また、店員カード４２の構造及び機能は一般に用いられる１３．５６ＭＨｚ帯のＩＣタグと同様であり、アンテナからの呼出波を受信すると、予め記憶されている店員ＩＤを反射波にのせて返信するものである。尚、後述するように店員ＩＤは、ホールコンピュータ５８において各店員の個人情報となる店員情報として管理されている。
また、認証アンテナ４７は、薄板状のガラスコンポジット基板の表面に送受信回路を設けたものであり、ケーブル３４を介して制御装置２０へと接続されている。そして、制御装置２０の制御により、送受信回路から呼出波を常時出力している。
【００２０】
一方、図１に示されているように、各島設備７１の側端には、主に賞品球等の遊技球をカウントするための計数機２２が隣接して設置されている。計数機２２の上面には開口部が設けられており、該開口部から遊技球を投入することで、投入された遊技球数を計数するとともに、遊技球数が記載された景品交換媒体を出力する。
さらに、計数機２２には、計数機アンテナ２３が内蔵されている。計数機アンテナ２３は、認証アンテナ４７と略同様の構成からなるものであって、制御装置２０の制御により送受信回路から呼出波を常時出力している。このような計数機アンテナ２３の前方へと店員カード４２を近接させて両者を所定の通信距離内とすることで、両者間で行われるＲＦＩＤ通信を利用した計数機２２の認証に係る制御が行われ、後述の如く所定の結果となった場合にのみ計数機２２は景品交換媒体を出力するようになっている。
【００２１】
次に、パチンコ機１について図３を基に説明する。図３は、本体枠３及び前面枠４を片開きにした状態を示したパチンコ機１の説明斜視図である。
パチンコ機１は、その周囲を機枠２によって支持されたものであって、機枠２の前面側には、本体枠３が左端縁（前面側から見て）を軸として着脱自在に蝶着されている。本体枠３には、遊技領域が設けられた遊技盤６が嵌め込み設置されており、その遊技盤６の遊技領域内には、障害釘をはじめとして図柄表示装置１４、図柄始動口１５、可動部材１６を有する大入賞装置１７等の遊技部材が設けられている。
【００２２】
また、ガラス板を保持する前面枠４が、遊技盤６の前面を覆うように左端縁（前面側から見て）を軸として着脱自在に蝶着されている。さらに、前面枠４の下方には、発射装置（図示せず）に遊技球を供給するための供給皿８、及び供給皿８から溢れた遊技球を貯留するための貯留皿９が取り付けられている。加えて、貯留皿９の右側（前面側から見て）には、発射装置を動作させて遊技球を遊技領域内へと発射するための発射ハンドル１１が取り付けられている。
【００２３】
さらに、前面枠４の後面開放側上端縁には、前面枠タグ（監視タグ）３８が固着されている。一方、本体枠３の前面開放側上端縁であって、前面枠４を本体枠３に対して閉じた状態とした際に前面枠タグ３８と対峙する位置には、前面枠アンテナ（監視アンテナ）３９が固着されている。したがって、前面枠４を閉じた場合にのみ、両者の間の距離がＲＦＩＤ通信可能な所定の通信距離内となり、両者間でＲＦＩＤ通信が成立する。そして、制御装置２０にて該ＲＦＩＤ通信の通信状態を判断することで、前面枠４の開閉状況が監視される。
【００２４】
さらにまた、機枠２の右側面内側（前面側から見て）には、機枠タグ（監視タグ）３６が固着されている。一方、本体枠３の開放側側面であって、本体枠３を機枠２に対して閉じた状態とした際に機枠タグ３６と対峙する位置には、機枠アンテナ（監視アンテナ）３７が固着されている。したがって、本体枠３を閉じた場合にのみ、両者の間の距離がＲＦＩＤ通信可能な所定の通信距離内となり、両者間でＲＦＩＤ通信が成立する。そして、制御装置２０にて該ＲＦＩＤ通信の通信状態を判断することで、前面枠４の開閉状況が監視される。
【００２５】
尚、上述した監視アンテナは、全て認証アンテナ４７と略同様の構成を有しており、制御装置２０の制御のもと、送受信回路から常時呼出波を出力している。また、上述した監視タグは全て一般に利用されているＩＣタグであり、個々に独自の識別情報（タグＩＤ）が予め記憶されている。そして、監視アンテナからの呼出波を受信すると、タグＩＤを含んだ反射波を所定の通信距離内に出力するようになっている。
【００２６】
一方、パチンコ機１の後面（本体枠３の後面）には、遊技領域内に打ち込まれた遊技球が各種入賞口等に入賞した際に賞品球を払い出すための遊技球払出装置（図示せず）や、パチンコ機１の遊技内容に関する種々の動作を制御（遊技に係る制御）を行う主制御基板を収納した分割式の収納ケースである主制御基板収納ケース１９等を載置した機構板が本体枠３に一体的に取り付けられている。
尚、パチンコ機１の遊技内容に関する種々の動作とは、賞品球の払出に関する動作や、遊技者にとって有利な「大当たり状態」を生起させるか否かの「抽選」に関する動作等の各種動作（すなわち、遊技者の利益に直接的に関わる動作）のことである。
【００２７】
次に、制御装置２０及びスポット７３の制御機構について図４を基に説明する。図４は、制御装置２０及びスポット７３の制御機構を示したブロック図である。尚、本実施例では、一台の制御装置２０にて、一の島設備７１に設置されている全てのパチンコ機１、１・・に係る監視動作や認証動作、及び計数機２２に係る認証動作を制御している。
【００２８】
制御装置２０は、各種制御部材を搭載した監視制御基板１８、充電可能なバッテリ６５等を搭載したＲＦモジュールである。監視制御基板１８には、監視動作等を制御するＭＰＵ５１、監視情報等を記憶するためのＥＥＰＲＯＭ５４、日時を計時するためのＲＴＣ５５、各監視アンテナ等と接続されるＲＦ回路５６、入出力部となるＩ／Ｏインタフェイス５７等が載置されている。
【００２９】
ＭＰＵ５１は、ＲＡＭやＲＯＭ等の記憶手段を内蔵したものであって、該記憶手段には、店員ＩＤ、監視動作等の制御に係るプログラム等が記憶されている。
また、ＥＥＰＲＯＭ５４には、各監視タグのタグＩＤが各アンテナ毎に夫々対応付けられたメモリ領域に夫々記憶されている。さらに、監視動作や認証動作において適宜作成される監視情報もＥＥＰＲＯＭ５４に記憶される。
【００３０】
スポット７３内には、スポット７３の動作を制御するＭＰＵ７５，ホールコンピュータ５８と無線接続するための無線モジュール７４等が内蔵されている。したがって、制御装置２０とホールコンピュータ５８との間で、ＥＥＰＲＯＭ５４に記憶される監視情報やＭＰＵ５１に記憶される店員ＩＤ等の各種情報を送受信するための中継点としての役割も果たす。
【００３１】
一方、計数機２２は、投入された遊技球数を計数するとともに、計数した遊技球数が記載された景品交換媒体を出力するものであり、ＭＰＵ２４、景品交換媒体を出力する景品交換媒体出力装置２５、遊技球を検出する遊技球検出器２６、Ｉ／Ｏインタフェイス２７、及びＯＮ／ＯＦＦ装置２８等を備えている。そして、遊技球検出器２６により検出された遊技球をＭＰＵ２４によりカウントして、投入された遊技球数を計数するようになっている。また、遊技球数を計数すると、該遊技球数が記載された景品交換媒体を景品交換媒体出力装置２５から出力する。尚、ＭＰＵ５１は、Ｉ／Ｏインタフェイス２７を介して制御装置２０のＭＰＵ５１と接続されており、後述の如く制御装置２０から送信される認証信号を受信可能となっている。
加えて、計数機２２内には、店員カード４２と無線通信可能な計数機アンテナ２３が内蔵されている。
【００３２】
また、ホールコンピュータ５８は、遊技店の管理室等に備えられる管理コンピュータであり、モニター等の表示手段、ハードディスク等の記憶手段、キーボード等の入力手段等を備えている。そして、ホールコンピュータ５８では、店員カード４２に記憶されている店員ＩＤを各店員の店員情報（店員ＩＤとカード所持者名等とを対応付けたもの）として登録管理したり、各制御装置２０から送信されてくる監視情報の記憶管理等を行う。
【００３３】
（３）実施例の遊技場監視システムの動作内容
パチンコ機１は、主制御基板に記憶されているプログラムにしたがって、主たる遊技動作を実行する。そして、遊技者が、遊技球を遊技領域に発射して所定の条件を満たした場合には、いわゆる「大当たり状態」を生起させて、賞品球を遊技者へと払い出す。
【００３４】
一方、制御装置２０は、パチンコ機１の前面枠４及び本体枠３における監視動作、及び店員カード４２を利用した認証動作（パチンコ機１及び計数機２２に係る）を制御する。
各パチンコ機１に係る監視動作や認証動作、計数機２２に係る認証動作、及び計数機２２の動作について図５及び図６を基に説明する。図５は、パチンコ機１に係る監視動作や認証動作、及び計数機２２に係る認証動作を示したフローチャート図であり、図６は、計数機２２の動作を示したフローチャート図である。尚、計数機２２の電源はＯＮされているものとする。
【００３５】
まず、制御装置２０は、認証フラグがＯＮであるか否かを判断する（Ｓ１）。当初は当然ＯＦＦであるため、次に、認証アンテナ４７から呼出波を送信し、その呼出波に対して店員ＩＤを受信したか否かを判断する（Ｓ２）。店員ＩＤを受信しなかった場合には、前面枠４及び本体枠３における監視状態に異常はないかどうかを判断する（Ｓ１２）。
【００３６】
Ｓ１２における判断とは、機枠アンテナ３７及び前面枠アンテナ３９から呼出波を送信するとともに、該呼出波に対して所定時間（たとえば、５０ｍｓ）内に機枠タグ３６及び前面枠タグ３８からの反射波を受信したか否か、及び受信した機枠タグ３６及び前面枠タグ３８のタグＩＤと制御装置２０のＥＥＰＲＯＭ５４に予め登録されているタグＩＤとが一致するか否かを判断するものである。そして、呼出波に対して所定時間内に正しいタグＩＤを受信した場合を、異常なし（正常状態である）とする。
そして、Ｓ１２における判断の結果、異常なしと判断した場合には、Ｓ１へと戻って、再び認証フラグの確認を行う。通常、このような監視動作が短い周期で繰り返し行われている。
【００３７】
また、Ｓ１２における判断の結果、異常ありと判断した場合（たとえば、所定時間内にタグＩＤを受信しなかった場合等）には、異常状態であるとして異常状態の生起日時やどのような異常状態であるか（たとえば、タグＩＤ及び受信しなかった旨）等を異常情報としてＥＥＰＲＯＭ５４に記憶する（Ｓ１３）。そして、報知ランプ７２により異常状態が発生した旨を報知するように、ＭＰＵ７５へと報知要求信号を出力して、異常状態の報知を行う（Ｓ１４）。尚、報知ランプ７２による異常状態の報知は、ホール店員等により所定の処置が行われるまで続けられる。
【００３８】
一方、店員カード４２を通信ユニット４１内の認証アンテナ４７に近接させて両者間をＲＦＩＤ通信可能な所定の通信距離内とすると、Ｓ２における判断の結果がＹＥＳとなり、制御装置２０はどこで店員ＩＤを受信したかを判断する（Ｓ３）。この場合、認証アンテナ４７であると判断し、受信した店員ＩＤが正しいか否かを判断する（Ｓ５）。Ｓ５における判断の結果、不正な店員ＩＤであると判断した場合には、異常状態であるとして異常状態の生起日時や受信した不正な店員ＩＤ等を異常情報としてＥＥＰＲＯＭ５４に記憶する（Ｓ１０）。そして、報知ランプ７２により異常状態が発生した旨を報知するように、ＭＰＵ７５へと報知要求信号を出力して、異常状態の報知を行う（Ｓ１１）。
【００３９】
また、Ｓ５における判断の結果、正しい店員ＩＤであると判断した場合には、認証フラグをＯＮとし（Ｓ１６）て、パチンコ機１に係る監視動作を認証状態へと移行する。尚、ここで認証フラグがＯＮされるため、以降認証フラグがＯＦＦとなるまでＳ１における判断がＹＥＳとなり、後述する開放フラグ（当初は当然ＯＦＦである）がＯＮであるか否かを判断する（Ｓ１５）ことになる。
認証状態へ移行すると、制御装置２０は、認証状態へ移行後５ｓ以内に監視用ＲＦＩＤ通信（機枠アンテナ３７及び前面枠アンテナ３９を利用したＲＦＩＤ通信）が不成立となったか否かを判断する（Ｓ１７）。
【００４０】
認証状態へ移行後５ｓ以内に、どの監視用ＲＦＩＤ通信も不成立とならなかった場合には、認証した店員ＩＤ、認証日時、及びどのパチンコ機１における監視動作が認証状態になったのかといった情報等を作業情報としてＥＥＰＲＯＭ５４に記憶する（Ｓ２１）。その後、認証フラグをＯＦＦとし（Ｓ２２）て、通常の監視動作へと復帰する。
【００４１】
また、認証状態へ移行後５ｓ以内に、監視用ＲＦＩＤ通信が不成立となる（たとえば、前面枠４が開放される等）と、開放フラグをＯＮとし（Ｓ１８）た後、その監視用ＲＦＩＤ通信が復帰したか否かを判断する（Ｓ１９）。尚、一度開放フラグがＯＮとなった後に、別の監視用ＲＦＩＤ通信が不成立となった場合（たとえば、前面枠４を開放した後、本体枠３を開放した場合等）には、その不成立も検知可能であって、Ｓ１９では全ての監視用ＲＦＩＤ通信が復帰したか否かを判断するようになる。また、Ｓ１８で開放フラグがＯＮとなるため、以降開放フラグがＯＦＦとなるまでＳ１５における判断はＹＥＳとなる。
【００４２】
監視用ＲＦＩＤ通信が復帰すると、開放フラグをＯＦＦとし（Ｓ２０）た後、認証した店員ＩＤ、認証日時、どの監視用ＲＦＩＤ通信が不成立となったか（たとえば、どこが開放されたのか等）、及びどのパチンコ機１における監視動作が認証状態になったのかといった情報等を作業情報としてＥＥＰＲＯＭ５４に記憶する（Ｓ２１）。その後、認証フラグをＯＦＦとし（Ｓ２２）て、通常の監視動作へと復帰する。
以上のような態様で、各パチンコ機１に係る監視動作及び認証動作は制御される。尚、各パチンコ機１の監視動作は、夫々各パチンコ機１に対応した通信ユニット４１で認証動作が行われない限り、認証状態へと移行することはない。つまり、一のパチンコ機１で監視動作が認証状態へ移行したからといって、他のパチンコ機１における監視動作が認証状態へと移行することはない。
【００４３】
一方、店員カード４２を計数機アンテナ２３に近接させて両者間をＲＦＩＤ通信可能な所定の通信距離内とすると、制御装置２０は、Ｓ３において計数機アンテナ２３であると判断し、受信した反射波に含まれる店員ＩＤが正しいか否かを判断する（Ｓ４）。
【００４４】
Ｓ４における判断の結果、正しい店員ＩＤであると判断した（制御装置２０に予め記憶されている店員ＩＤと一致した）場合には、認証信号を計数機２２へと出力して、ＭＰＵ２４内のカウントフラグをＯＮする（Ｓ６）。その後、所定時間（たとえば、１８０秒）以内に計数機２２から後述するような作業信号を受信したか否かを判断する（Ｓ７）。
そして、所定時間以内に作業信号を受信すると、該作業信号に含まれている遊技球数、及び店員ＩＤや店員ＩＤの認証日時等に関連付けられた情報を作業情報としてＥＥＰＲＯＭ５４に記憶する（Ｓ８）。さらに、計数機２２へと認証信号を出力してカウントフラグをＯＦＦとする（Ｓ９）。尚、所定時間以内に作業信号を受信しなかった場合には、作業情報を記憶することなく、カウントフラグをＯＦＦとする（Ｓ９）。
【００４５】
一方、計数機２２は、遊技球検出器２６において遊技球を検出すると、遊技球が投入されたもの（Ｓ３１における判断の結果がＹＥＳ）として、自動的に遊技球数のカウントを開始する（Ｓ３２）。そして、ここでカウントフラグがＯＮとなっているか否かを判断する（Ｓ３３）。
カウントフラグがＯＮである場合には、カウントした遊技球数を記載した景品交換媒体を景品交換媒体出力装置２５から出力する（Ｓ３４）。また、カウントされた遊技球数を作業信号にのせて制御装置２０へと出力する（Ｓ３５）。一方、カウントフラグがＯＮとなっていない場合には、カウントフラグがＯＮとなるまで景品交換媒体を出力しない。
【００４６】
（４）実施例の遊技場監視システムの効果
本実施例に係る遊技場監視システムによれば、上記の如く、計数機２２に景品交換媒体を出力させるためには店員カード４２を利用した認証を行わなければならない。したがって、不正遊技者等が外部より遊技球等を持ち込んで不正に利益を得ようとする行為等を防止することができる。また、利用された店員カード４２の店員ＩＤや店員カード４２の認証日時、及び投入された遊技球数等が作業情報として制御装置２０に記憶されるため、どの店員がいつ計数機２２を使用し、何個の遊技球をカウントしたかといった計数機２２の動作履歴等を把握することができる（すなわち、計数機２２を監視することができる）。さらに、店員カード４２を利用した認証を行いさえすれば景品交換媒体は出力されるため、遊技者が間違えて計数機２２に遊技球を投入してしまった場合にでも、投入した後に店員カード４２による認証を行えば景品交換媒体を出力することができる。つまり、遊技場監視システムの使い勝手をより良くすることができる。
【００４７】
また、本実施例に係る遊技場監視システムは、監視アンテナと監視タグとの間で行うＲＦＩＤ通信を利用して、各パチンコ機１の本体枠３及び前面枠４の開閉状況の監視を行っている。したがって、たとえば遊技者がわずかにでも前面枠４を開放したりすると、前面枠アンテナ３９と前面枠タグ３８との間のＲＦＩＤ通信が不成立となるため、制御装置２０はその事態を直ちに検知することができる。さらに、異常状態を検知すると、ＲＦＩＤ通信が不成立となった日時や、そのＲＦＩＤ通信に係るタグＩＤ等からなる異常情報を記憶するため、リアルタイムで効果的な監視を行うことができる。そして、このような監視を行うことで、不正行為に対して強いパチンコ機１を提供することができる。
【００４８】
さらにまた、本実施例に係る遊技場監視システムによれば、店員カード４２を認証させることで、本体枠３や前面枠４の開放を異常状態であると判断しない認証状態を生起可能としている。その認証状態において、ただ認証状態を生起させただけの場合には店員ＩＤ及び認証日時等からなる作業情報を、認証状態において本体枠３や前面枠４を開放した場合には店員ＩＤ及びいつ、どのパチンコ機１のどこを開放・閉塞したのか等からなる作業情報を夫々記憶するため、極めて詳細な監視情報を得ることができる。つまり、極めて詳細な認証履歴や開放履歴等を把握可能であり、非常に効果的で信頼性の高い監視を行うことができる。
【００４９】
加えて、本実施例に係る遊技場監視システムにおける制御装置２０は、一台の制御装置２０にて、計数機２２に係る認証動作、各パチンコ機１に係る監視動作及び認証動作を制御可能であるため、非常に使い勝手が良く、汎用性に富む。また、複数のパチンコ機１における監視動作等を制御可能であるため、遊技場監視システムを導入する際の低コスト化をも図ることができる。
【００５０】
（５）本発明の変更例の説明
本発明の遊技場監視システムは、上述した実施例の態様に何ら限定されるものではなく、各ＩＣタグ、アンテナ、制御装置、ホールコンピュータ、計数装置、通信ユニット、及びスポット等の材料、形状、構造、取付位置、設置数等の構成を本発明の趣旨に逸脱しない範囲で適宜変更することができる。たとえば、本発明の監視対象となる遊技機とは、パチンコ機に限定されることはなく、スロットマシーン等の遊技媒体を用いる遊技機であればよい。
【００５１】
また、実施例では、店員カードの認証してはじめて計数装置に景品交換媒体を提供させるように構成しているが、店員カードの認証により計数装置の電源がＯＮとなるようにしてもよい。さらに、認証信号によりスタンバイ状態（電源スイッチはＯＮとなっているものの、計数機能等は停止している状態）が解除されて遊技媒体の計数を開始するように構成することも当然可能である。加えて、店員カードの認証を行わずに動作させる（遊技球等を投入する）と異常状態であると判断し、報知手段により異常状態の報知を行うように構成してもよい。このような構成としても、不正な遊技媒体の投入といった不正行為を防止することができる。
【００５２】
さらに、計数機に表示手段を設け、店員カードの認証を行われることなく遊技媒体が投入された場合には、エラー表示を行うようにすることも当然可能である。加えて、計数機は、実施例の如く遊技球数が記載された景品交換媒体を提供するものに限定されることはなく、遊技球数に関連づけて色や形状・大きさ等が異なる景品交換媒体を提供するものとしてもよいし、内部に記憶手段を備えており遊技球数を書き込み可能に構成された景品交換媒体に、計数手段により計数された遊技球数を書き込むものであっても当然よい。
【００５３】
さらにまた、実施例で記載した以外の監視場所（相対可動部）として、主制御基板収納ケース等の各種分割式収納ケース、大入賞装置における可動部材等が考えられる。各種分割式収納ケースや制御装置自体の監視を行う場合には、分割式収納ケースの一方に監視タグを固着する一方、該監視タグを覆うとともに分割式収納ケースの両ケースに跨るように監視アンテナを固着すればよい。また、大入賞装置における可動部材の監視を行う場合には、可動部材に監視タグを、大入賞装置に監視アンテナを夫々固着するとともに、主制御基板と制御装置とを接続し、主制御基板より出力される大当たり信号を制御装置で受信する構成とすればよい。そうすれば、大当たり信号を受信していないにもかかわらず、可動部材及び大入賞装置におけるＲＦＩＤ通信が不成立となった場合に異常状態（不正開放）として検知することができる。
【００５４】
またさらに、実施例では、一台の制御装置にて一つの島設備に設置される全ての遊技機における監視動作等を制御可能としているが、それに限定されることはなく、一台の制御装置にて何台の遊技機における監視動作等を制御させるかは適宜変更可能である。その際、切替スイッチ等の選択手段を制御装置に設けることにより、何台の遊技機における監視動作を制御するか適宜設定可能な構成としてもよい。
さらにまた、当然制御装置と遊技機とを一対一対応としても何ら問題はないし、遊技機の監視動作等を制御する制御装置とは別に、計数機に係る認証動作を制御するための制御装置を設置するようにしても何ら問題はない。
【００５５】
加えて、監視情報やタグＩＤ等をＥＥＰＲＯＭに記憶させるのではなく、ＭＰＵ内に記憶させて、ＥＥＰＲＯＭを設けないような構成とすることも当然可能である。すなわち、監視情報等の記憶場所は実施例に何ら限定されない。
また、認証アンテナを内蔵した通信ユニットを設置するのではなく、遊技機本体に店員カード差込口等を設け、該差込口内に認証アンテナを取り付けるようにしてもよい。
【００５６】
さらに、スポットとホールコンピュータとの接続を有線で行っても何ら問題はないし、報知手段をホールコンピュータとしても当然よい。ホールコンピュータを報知手段とした場合、表示手段等に異常状態が発生した旨等を表示させて報知するようにすればよい。また、ステーションに報知ランプ等を設けることは当然可能である。
またさらに、各タグと各アンテナとの間の通信可能距離を５ｍｍに設定しているが、それ以上またはそれ以下の距離に設定したとしても何ら問題はない。また、ＲＦＩＤ通信において利用される周波数や、異常状態とみなされる返信時間（実施例では、５０ｍｓ）、認証状態である時間（実施例では、５ｓ）等も実施例にものに限定されることはない。
【００５７】
加えて、スポットのＭＰＵと制御装置のＭＰＵとを同一のものとすることにより、制御装置にスポットとしての機能（ホールコンピュータとの間の通信や報知手段としての機能）をも持たせるようにしても何ら問題はない。
【図面の簡単な説明】
【００５８】
【図１】パチンコ機を設置した島設備の説明図である。
【図２】通信ユニット及び店員カードの外観を示した説明図である。
【図３】本体枠及び前面枠を片開きにした状態を示したパチンコ機の説明斜視図である。
【図４】制御装置の制御機構を示したブロック図である。
【図５】パチンコ機に係る監視動作や認証動作、及び計数機に係る認証動作を示したフローチャート図である。
【図６】計数機の動作を示したフローチャート図である。
【符号の説明】
【００５９】
１・・パチンコ機、２・・機枠、３・・本体枠、４・・前面枠、１８・・監視制御基板、２０・・制御装置、２２・・計数機、２３・・計数機アンテナ、３６・・機枠タグ、３７・・機枠アンテナ、３８・・前面枠タグ、３９・・前面枠アンテナ、４１・・通信ユニット、４２・・店員カード、４７・・認証アンテナ、５１・・ＭＰＵ、５４・・ＥＥＰＲＯＭ、５８・・ホールコンピュータ、７２・・報知ランプ、７３・・スポット。
【図１】
2006149823.tif 000003
【図２】
2006149823.tif 000004
【図３】
2006149823.tif 000005
【図４】
2006149823.tif 000006
【図５】
2006149823.tif 000007
【図６】
2006149823.tif 000008